(57)【特許請求の範囲】
【請求項１】
前板、後板、底板、左側板および右側板を少なくとも含むものからなり、上側に開口部を有する有底角筒状の箱本体と、
前記前板の上辺に折り曲げ線を介して設けられ、第１の吊下げ孔を有する第１の吊下げ片と、
前記第１の吊下げ片の先端辺に折り曲げ線を介して設けられ、第２の吊下げ孔を有する第２の吊下げ片と、
前記第２の吊下げ片の先端辺に設けられた第１の突片と、
前記後板の上辺に折り曲げ線を介して設けられた蓋板と、
前記蓋板の先端部に該先端部に互いに平行に設けられた２つの切り込み線間における前記蓋板の一部を含んで設けられた第２の突片と、を備える包装箱の組立方法であって、
前記包装箱の前記第２の突片は、前記２つの切り込み線に交差する方向に設けられた別の切り込み線と、該別の切り込み線の左側および右側に、前記２つの切り込み線の延在方向において前記別の切り込み線が設けられた部分の前記第２の突片の先端辺寄りに設けられた２本の第２の折り曲げ線と当該延在方向において当該部分の当該先端辺の反対寄りに設けられた２本の第１の折り曲げ線とを有し、
非吊下げ展示状態とするとき、前記第２の吊下げ片を折り曲げ、前記第１の吊下げ片を折り曲げながら、前記第１の突片を含む前記第２の吊下げ片を前記箱本体の開口部内に差し込み、前記第１の吊下げ片で前記箱本体の開口部を覆い、次いで前記第２の突片を前記第１の折り曲げ線で内側に折り曲げ、前記蓋板を折り曲げながら、折り曲げた前記第２の突片を前記第１の吊下げ片の第１の吊下げ孔内に嵌め込み、前記蓋板で前記箱本体の開口部を覆い、この状態で非吊下げ展示状態とし、
吊下げ展示状態とするとき、前記蓋板を折り曲げて、前記蓋板で前記箱本体の開口部を覆い、且つ、前記第２の突片を前記第２の折り曲げ線で外側に折り曲げて前記第１の吊下げ片に沿わせ、この状態で前記第２の突片の前記別の切り込み線によってスリットを形成し、次いで前記第２の吊下げ片を折り曲げながら、前記第１の突片を前記スリット内に差し込み、この状態で吊下げ展示状態とすることを特徴とする包装箱の組立方法。
【請求項２】
請求項１に記載の発明において、前記包装箱の前記第２の突片は、前記２本の第１の折り曲げ線が、前記２つの切り込み線の延在方向において、前記蓋板の先端辺よりも内側に位置していることを特徴とする包装箱の組立方法。
【請求項３】
請求項１または２に記載の発明において、前記第１の突片は前記第２の吊下げ片の先端辺に３つ間隔をおいて設けられ、且つ、前記第２の吊下げ片の先端辺の左側部および右側部には前記第１の突片は設けられておらず、この先端辺の左側部および右側部は押え面となっており、前記蓋板の先端辺の左側部および右側部に第３の突片が設けられ、３つの前記第１の突片のうちの両外側の２つの第１の突片を前記第２の突片と２つの前記第３の突片との間を通して前記箱本体の開口部内に差し込み、且つ、残りの中央の１つの第１の突片を前記スリット内に差し込み、この状態では前記第２の吊下げ片の２つの押え面が前記蓋板の２つの第３の突片を押え付けていることを特徴とする包装箱の組立方法。
【請求項４】
請求項１〜３のいずれかに記載の発明において、前記蓋板の左辺および右辺に折り曲げ線を介して係止片が設けられ、前記蓋板を折り曲げて、前記蓋板で前記箱本体の開口部を覆うとき、２つの前記係止片を折り曲げて前記箱本体の開口部内に差し込んで係止させることを特徴とする包装箱の組立方法。
【発明の詳細な説明】
【技術分野】
【０００１】
この発明は、包装箱に関し、特に、吊下げ展示状態および非吊下げ展示状態のいずれの展示状態にもすることができる包装箱の組立方法に関する。
【背景技術】
【０００２】
従来の包装箱には、吊下げ展示状態および非吊下げ展示状態のいずれの展示状態にもすることができるものがある（例えば、特許文献１参照）。特許文献１に記載の包装箱では、細かいことは省略するが、組立てられた状態で上側に開口部を有する有底角筒状の箱本体の前部上辺に蓋板が設けられ、蓋板の先端辺の左側部および右側部に係止片が設けられ、両係止片間における蓋板の先端辺中央部に突片が設けられ、突片と蓋板との間に吊下げ片挿通用スリットが設けられ、箱本体の後部上辺中央部に２枚重ね構造の吊下げ片が設けられ、箱本体の左側部上辺および右側部上辺に補助蓋板が設けられている。
【先行技術文献】
【特許文献】
【０００３】
【特許文献１】特開平５−２５４５３９号公報
【０００４】
上記従来の包装箱を非吊下げ展示状態とする場合には、まず、２つの補助蓋板をその根元で内側に９０°折り曲げ、この折り曲げた２つの補助蓋板で箱本体の開口部の左側部および右側部を覆う。次に、吊下げ片をその根元で内側に９０°折り曲げる。次に、２つの係止片および突片をその根元で内側に９０°折り曲げた状態で、蓋板をその根元で内側に９０°折り曲げながら、２つの係止片を箱本体の開口部の後部の左側部内側および右側部内側に差し込んで係止させると共に、突片を箱本体の開口部の後部中央部外側に沿わせ、折り曲げた蓋板で折り曲げた２つの補助蓋板および折り曲げた吊下げ片を含む箱本体の開口部を覆う。この状態では、蓋板で吊下げ片を覆っているので、包装箱は非吊下げ展示状態となる。
【０００５】
一方、上記従来の包装箱を吊下げ展示状態とする場合には、まず、２つの補助蓋板をその根元で内側に９０°折り曲げ、この折り曲げた２つの補助蓋板で箱本体の開口部の左側部および右側部を覆う。次に、吊下げ片を折り曲げずに起立させたままとし、且つ、２つの係止片および突片をその根元で内側に９０°折り曲げた状態で、蓋板をその根元で内側に９０°折り曲げながら、２つの係止片を箱本体の開口部の後部の左側部内側および右側部内側に差し込んで係止させると共に、突片を箱本体の開口部の後部中央部外側に沿わせ、且つ、起立している吊下げ片を吊下げ片挿通用スリットに挿通させて蓋板の外側に突出させ、折り曲げた蓋板で折り曲げた２つの補助蓋板を含む箱本体の開口部を覆う。この状態では、吊下げ片が吊下げ片挿通用スリットを挿通して蓋板の外側に突出されているので、包装箱は吊下げ展示状態となる。
【発明の概要】
【発明が解決しようとする課題】
【０００６】
しかしながら、上記従来の包装箱では、非吊下げ展示状態としたとき、蓋板で２つの補助蓋板および吊下げ片を含む箱本体の開口部を覆っているので、蓋板、補助蓋板および２枚重ね構造の吊下げ片が積層されて４層構造となり、包装箱の材料の厚さが０．５〜０．７ｍｍ程度と比較的薄い場合には、別に問題は無いが、厚さが１．０〜２．０ｍｍ程度と比較的厚い場合には、例えば厚さが１．８ｍｍ程度の段ボールを用いる場合には、４層構造の部分が厚くなりすぎて、蓋板で補助蓋板および２枚重ね構造の吊下げ片を含む箱本体の開口部を所期の通り覆うことができず、仮に覆うことができても、４層構造の部分が盛り上がって見栄えが良くないという問題がある。また、非吊下げ展示状態としたとき、蓋板と突片との間に設けられた吊下げ片挿通用スリットがそのまま見えるので、見栄えが良くないばかりか、吊下げ片挿通用スリットがデッドスペースとなり、この部分に文字や絵などを施すことができないという問題がある。
【０００７】
そこで、この発明は、非吊下げ展示状態としたとき、包装箱の材料の厚さが比較的厚くても、蓋板で箱本体の開口部を盛り上がることなく所期の通り覆うことができ、また吊下げ片挿通用スリットのようなものが外観に表れないようにすることができる包装箱の組立方法を提供することを目的とする。
【課題を解決するための手段】
【０００８】
この発明は、前板、後板、底板、左側板および右側板を少なくとも含むものからなり、上側に開口部を有する有底角筒状の箱本体と、前記前板の上辺に折り曲げ線を介して設けられ、第１の吊下げ孔を有する第１の吊下げ片と、前記第１の吊下げ片の先端辺に折り曲げ線を介して設けられ、第２の吊下げ孔を有する第２の吊下げ片と、前記第２の吊下げ片の先端辺に設けられた第１の突片と、前記後板の上辺に折り曲げ線を介して設けられた蓋板と、前記蓋板の先端部に該先端部に互いに平行に設けられた２つの切り込み線間における前記蓋板の一部を含んで設けられ、切り込み線および該切り込み線の左側および右側に２本ずつ設けられた第１、第２の折り曲げ線を有する第２の突片と、を備える包装箱の組立方法であって、非吊下げ展示状態とするとき、前記第２の吊下げ片を折り曲げ、前記第１の吊下げ片を折り曲げながら、前記第１の突片を含む前記第２の吊下げ片を前記箱本体の開口部内に差し込み、前記第１の吊下げ片で前記箱本体の開口部を覆い、次いで前記第２の突片を前記第１の折り曲げ線で内側に折り曲げ、前記蓋板を折り曲げながら、折り曲げた前記第２の突片の元々の先端部を前記第１の吊下げ片の第１の吊下げ孔内に嵌め込み、前記蓋板で前記箱本体の開口部を覆い、この状態で非吊下げ展示状態とし、吊下げ展示状態とするとき、前記蓋板を折り曲げて、前記蓋板で前記箱本体の開口部を覆い、且つ、前記第２の突片を前記第２の折り曲げ線で外側に折り曲げて前記第１の吊下げ片に沿わせ、この状態で前記第２の突片の切り込み線によってスリットを形成し、次いで前記第２の吊下げ片を折り曲げながら、前記第１の突片を前記スリット内に差し込み、この状態で吊下げ展示状態とすることを特徴とする包装箱の組立方法である。
【発明の効果】
【０００９】
この発明によれば、非吊下げ展示状態としたとき、蓋板、折り曲げた第２の突片および第１の吊下げ片が積層されて３層構造となるので、４層構造となる場合と比較して、３層構造となる部分を薄くすることができ、この結果包装箱の材料の厚さが比較的厚くても、蓋板で箱本体の開口部を盛り上がることなく所期の通り覆うことができ、また非吊下げ展示状態では第２の突片の切り込み線が見えるだけであるので、従来の吊下げ片挿通用スリットのようなものが外観に表れないようにすることができる。
【図面の簡単な説明】
【００１０】
【図１】この発明の一実施形態としての包装箱を展開して示す平面図。
【図２】図１の突片４９の部分の拡大平面図。
【図３】図１に示すものから非吊下げ展示状態の包装箱を組立てる場合の当初の工程を説明するために示す前から見た斜視図。
【図４】図３に続く工程を説明するために示す前から見た斜視図。
【図５】図４に続く工程を説明するために示す前から見た斜視図。
【図６】図５に続く工程を説明するために示す前から見た斜視図。
【図７】図１に示すものから吊下げ展示状態の包装箱を組立てる場合の図３に続く工程を説明するために示す後から見た斜視図。
【図８】図７に続く工程を説明するために示す後から見た斜視図。
【図９】図８に続く工程を説明するために示す後から見た斜視図。
【発明を実施するための形態】
【００１１】
図１はこの発明の一実施形態としての包装箱を展開して示す平面図である。この展開して示す包装箱は、例えば、厚さが１．８ｍｍの段ボールが用いられ、方形状の前板１、前板１の左辺に折り曲げ線２を介して設けられた短冊形状の左側板３および前板１の右辺に折り曲げ線４を介して設けられた短冊形状の右側板５を備えている。前板１の上下方向中央部、左側板３の右側中央部および右側板５の左側中央部には４角が凸Ｒ形状でほぼ方形状の飾り窓６が設けられている。左側板３の左辺には折り曲げ線７を介して細長い台形形状の糊代８が設けられている。
【００１２】
前板１の上辺には折り曲げ線１１を介して短冊形状の第１の吊下げ片１２が設けられている。第１の吊下げ片１２の中央部には第１の吊下げ孔１３が設けられている。第１の吊下げ片１２の先端辺には折り曲げ線１４を介して短冊形状の第２の吊下げ片１５が設けられている。第２の吊下げ片１５の中央部には、第１の吊下げ孔１３と線対称形状の第２の吊下げ孔１６が設けられている。第２の吊下げ片１５の先端辺には３つの方形状の突片１７が間隔をおいて設けられている。この場合、第２の吊下げ片１５の先端辺の左側部および右側部には突片１７は設けられておらず、この先端辺の左側部および右側部は押え面１８となっている。
【００１３】
前板１の下辺には折り曲げ線２１を介して短冊形状の底板２２が設けられている。底板２２の先端辺の左側部および右側部を除く部分には折り曲げ線２３および折り曲げ線２３の左側および右側に設けられた切り込み線２４を介して短冊形状の差し込み片２５が設けられている。差し込み片２５の基端部中央部にはスリット２６が設けられている。底板２２の先端部中央部には半円形状の爪入れ用孔２７がスリット２６の中央部に連続して設けられている。
【００１４】
左側板３の下辺には折り曲げ線３１を介してほぼ方形状の左側補助底板３２が設けられている。右側板５の下辺には折り曲げ線３３を介してほぼ方形状の右側補助底板３４が設けられている。
【００１５】
右側板５の右辺には折り曲げ線４１を介して方形状の後板４２が設けられている。後板４２の上辺には折り曲げ線４３を介して短冊形状の蓋板４４が設けられている。蓋板４４の左辺および右辺には折り曲げ線４５を介して台形形状の係止片４６が設けられている。蓋板４４の先端辺の左側部および右側部には円弧形状の突片４７が設けられている。
【００１６】
蓋板４４の先端部中央部には、蓋板４４の先端辺に直交する方向にほぼ延びる２つの切り込み線４８がほぼ互いに平行に設けられている。２つの切り込み線４８間における蓋板４４の一部およびこの蓋板４４の一部から上側に突出された方形状の部分により突片４９が形成されている。すなわち、蓋板４４の先端部中央部には、２つの切り込み線４８間における蓋板４４の一部を含む突片４９が設けられている。
【００１７】
ここで、図２は図１の突片４９の部分の拡大平面図を示す。突片４９の上下方向中央部には切り込み線５０が設けられている。切り込み線５０の左側および右側は２本ずつの第１、第２の折り曲げ線５１、５２となっている。この場合、第１の折り曲げ線５１は蓋板４４の上辺の延長線よりもやや下側に設けられている。第２の折り曲げ線５２は蓋板４４の上辺の延長線よりもやや上側に設けられている。切り込み線５０は、第１の折り曲げ線５１の延長線上に設けられた直線部５０ａと、この直線部５０ａの左端および右端から第２の折り曲げ線５２まで延びて設けられた円弧部５０ｂとからなっている。
【００１８】
図１に戻って説明を続けると、後板４２の下部中央部には、後板４２の下辺に直交する方向に延びる２つの切り込み線６１が互いに平行に設けられている。２つの切り込み線６１間における後板４２の一部およびこの後板４２の一部から下側に突出された方形状の部分により係止片６２が形成されている。係止片６２の基端辺は折り曲げ線６３となっている。
【００１９】
係止片６２の上下方向中央部には切り込み線６４が設けられている。切り込み線６４の左右両側は折り曲げ線６５となっている。この場合、折り曲げ線６５は後板４２の下辺の延長線上に設けられている。切り込み線６４は、折り曲げ線６５の延長線よりもやや下側に設けられた直線部と、この直線部の左端および右端から折り曲げ線６５のやや上側まで延びて設けられた直線部とからなっている。切り込み線６４は、最終的に組立てられた包装箱を開けるときに、ユーザーが爪を引っ掛けるためのものである。ここで、上記爪入れ用孔２７は、ユーザーが爪を切り込み線６４に引っ掛け易くするためのものである。
【００２０】
次に、図１に展開して示すものから非吊下げ展示状態の包装箱を組立てる場合について説明する。まず、左側板３を折り曲げ線２で内側に９０°折り曲げ、糊代８を折り曲げ線７で内側に９０°折り曲げ、右側板５を折り曲げ線４で内側に９０°折り曲げ、後板４２を折り曲げ線４１で内側に９０°折り曲げる。次に、糊代８を後板４２の図１における右側の内面に糊付けする。
【００２１】
次に、２つの補助底板３２、３４を折り曲げ線３１、３３で内側に９０°折り曲げる。次に、差し込み片２５を折り曲げ線２３で内側に９０°折り曲げる。次に、底板２２を折り曲げ線２１で内側に９０°折り曲げながら、差し込み片２５を後板４２の下部内側に差し込む。次に、係止片６２を折り曲げ線６３で外側に適宜に折り曲げ（これは次の作業をしやすくするため）、次いで係止片６２を折り曲げ線６５で内側に９０°折り曲げながら、係止片６２の折り曲げ線６５よりも先端側をスリット２６内に差し込み、且つ、折り曲げ線６３で外側に適宜に折り曲げられた係止片６２を折り曲げ線６３で折り曲げられない元の状態に戻す。
【００２２】
この状態では、図３の前から見た斜視図に示すように、前板１、左側板３、右側板５、後板４２および底板２２などからなる有底角筒状の箱本体７１が組立てられ、箱本体７１の上側は開放されて開口部７２となっている。また、この状態では、図１を参照して説明すると、係止片６２の折り曲げ線６５よりも先端側がスリット２６内に差し込まれていることにより、底板２２は折り曲げ線２１で内側に９０°折り曲げられた状態にロックされている。
【００２３】
次に、図３に戻って説明を続けると、箱本体７１の開口部７２から製品(図示せず)を箱本体７１内に挿入する。この場合、飾り窓６は開放されているが、製品を箱本体７１内に挿入する前に、透明な断面凹形状の硬質プラスチックシートあるいは透明なフレキシブルプラスチックシートを箱本体７１の開口部７２から箱本体７１内に挿入し、この挿入したシートで飾り窓６を覆うようにしてもよい。
【００２４】
次に、第２の吊下げ片１５を折り曲げ線１４で内側に９０°折り曲げる。次に、第１の吊下げ片１２を折り曲げ線１１で外側に適宜に折り曲げながら（これは次の作業をしやすくするため）、３つの突片１７を含む第２の吊下げ片１５を後板４２の上部内側に差し込み、且つ、折り曲げ線１１で外側に適宜に折り曲げられた第１の吊下げ片１２を元の非折り曲げ状態に戻した後さらに折り曲げ線１１で内側に９０°折り曲げる。この状態では、図４の前から見た斜視図に示すように、箱本体７１の開口部７２は第１の吊下げ片１２によって覆われている。
【００２５】
次に、図５の前から見た斜視図に示すように、２つの係止片４６を折り曲げ線４５で内側に９０°折り曲げる。次に、突片４９を第１の折り曲げ線５１で内側に１８０°近く折り曲げる。次に、蓋板４４を折り曲げ線４３で内側に９０°折り曲げながら、２つの係止片４６を左側板３の上部内側および右側板５の上部内側に差し込んで係止させ、且つ、第１の折り曲げ線５１で内側に折り曲げられた突片４９の元々の先端部を第１の吊下げ片１２の第１の吊下げ孔１３内に嵌め込む。この状態では、図６の前から見た斜視図に示すように、箱本体７１の開口部７２は最終的には蓋板４４によって覆われ、これにより包装箱は非吊下げ展示状態となる。
【００２６】
この非吊下げ展示状態では、突片４９の基端部を含む蓋板４４、突片４９の先端部および第１の吊下げ片１２が積層されて３層構造となるので、４層構造となる場合と比較して、３層構造となる部分を薄くすることができる。この結果、包装箱の材料の厚さが１．０〜２．０ｍｍ程度と比較的厚くても、例えば厚さが１．８ｍｍ程度の段ボールを用いても、蓋板４４で箱本体７１の開口部７２を盛り上がることなく所期の通り覆うことができる。
【００２７】
また、この非吊下げ展示状態では、上から見たとき、２つの切り込み線４８および１つの切り込み線５０が見えるだけであるので、従来の吊下げ片挿通用スリットのようなものが外観に表れないようにすることができ、したがって従来の吊下げ片挿通用スリットが見える場合と比較して、見栄えを良くすることができる。また、切り込み線４８、５０は文字通り切り込み線であるのでデッドスペースとなることがなく、したがってこの部分に文字や絵などを施すことができる。
【００２８】
ここで、図１を参照して説明すると、突片４９の先端部の左右方向の長さは第１の吊下げ孔１３の左右方向の長さとほぼ同じとなっている。このため、上述の如く、図５に示す状態において、第１の折り曲げ線５１で内側に折り曲げられた突片４９の元々の先端部を第１の吊下げ孔１３内に嵌め込むとき、突片４９の元々の先端部を第１の吊下げ孔１３の長辺部を上方に変形させて、押し込むようにして嵌め込むことになる。このため、この状態では、突片４９の元々の先端部が第１の吊下げ孔１３内から抜け出にくくなり、突片４９を含む蓋板４４を閉じた状態により強固にロックすることができる。
【００２９】
また、図６に示すように、突片４９を第１の折り曲げ線５１で折り曲げると、折り曲げられた部分が蓋板４４の先端辺よりも内側に位置する状態となるので、第１の折り曲げ線５１で内側に折り曲げられた突片４９の元々の先端部を第１の吊下げ孔１３（図５参照）内に差し込み易くすることができる。
【００３０】
次に、図１に展開して示すものから吊下げ展示状態の包装箱を組立てる場合について説明する。この場合、図３に示すように、有底角筒状の箱本体７１を組立てるまでは同じである。次に、図７の後から見た斜視図を参照して説明すると、２つの係止片４６を折り曲げ線４５で内側に９０°折り曲げる。次に、突片４９を第２の折り曲げ線５２で外側に適宜に折り曲げ、折り曲げぐせを付ける。
【００３１】
次に、蓋板４４を折り曲げ線４３で内側に９０°折り曲げながら、２つの係止片４６を左側板３の上部内側および右側板５の上部内側に差し込んで係止させる。この場合、蓋板４４を折り曲げ線４３で内側にある程度折り曲げた状態では、外側への折り曲げぐせの付いた突片４９の先端部が起立状態にある第１の吊下げ片１２に突き当たることにより、突片４９が外側に適宜に折り曲げられる。
【００３２】
蓋板４４を折り曲げ線４３で内側に９０°完全に折り曲げた状態では、図示していないが、突片４９が第２の折り曲げ線５２で外側に９０°折り曲げられ、起立状態にある第１の吊下げ片１２に沿う状態となる。この状態では、突片４９が第２の折り曲げ線５２で外側に９０°完全に折り曲げられたことにより、切り込み線５０によってスリット５０ｃ（図８参照）が形成される。すなわち、図２に示すように、切り込み線５０は直線部５０ａの両端に円弧部５０ｂを有する形状であるから、突片４９が第２の折り曲げ線５２で外側に９０°完全に折り曲げられると、切り込み線５０によってスリット５０ｃが形成される。
【００３３】
次に、図８の後から見た斜視図を参照して説明すると、蓋板４４を箱本体７１の開口部７２内に適宜に押し込んだ状態において（これは次の作業をしやすくするため）、第１の吊下げ片１２を折り曲げ線１１で外側に適宜に折り曲げ（これも次の作業をしやすくするため）、且つ、第２の吊下げ片１５を折り曲げ線１４で内側に適宜に折り曲げながら、３つの突片１７のうちの両外側の２つの突片１７を突片４９と２つの突片４７との間を通して前板１の上部内側に差し込み、且つ、残りの中央の１つの突片１７をスリット５０ｃ内に差し込む。
【００３４】
ここで、図１を参照して説明すると、蓋板４４の先端辺の左側部および右側部には円弧形状の突片４７が設けられているので、これらの突片４７と突片４９との間における蓋板４４の先端辺は突片４７よりも凹んでいる。この結果、図８に示すように、両外側の２つの突片１７を突片４９と２つの突片４７との間（上記凹んでいる部分）を通して前板１の上部内側に差し込むことにより、両外側の２つの突片１７の前板１の上部内側への差し込みを容易とすることができる。
【００３５】
次に、蓋板４４に対する押し込みを解除し、且つ、折り曲げ線１１で外側に適宜に折り曲げられた第１の吊下げ片１２を元の非折り曲げ状態に戻すと共に、第２の吊下げ片１５を折り曲げ線１４で内側に完全に１８０°折り曲げると、図９の後から見た斜視図に示すように、箱本体７１の開口部７２は蓋板４４によって所期の通り覆われ、且つ、第１、第２の吊下げ片１２、１５が互いに重ね合わされて起立状態になると共に、第１、第２の吊下げ孔１３、１６が互いに重ね合わされて１つの吊下げ孔を形成し、これにより包装箱は吊下げ展示状態となる。
【００３６】
この吊下げ展示状態では、第２の吊下げ片１５の２つの押え面１８が蓋板４４の２つの突片４７を上側から押え付けることになるので、第２の吊下げ片１５の２つの押え面１８により２つの突片４７を含む蓋板４４は閉じた状態にロックされている。
【００３７】
次に、図６に示す非吊下げ展示状態から図９に示す吊下げ展示状態に変更する場合について説明する。この場合には、図６に示す非吊下げ展示状態から上記組立作業とは逆の作業を行うことにより、図５に示す状態および図４に示す状態を順次経て図３に示す状態とし、次いで上記組立作業と同様の作業を行うことにより、図７に示す状態および図８に示す状態を順次経て図９に示す状態とすればよい。
【００３８】
次に、図９に示す吊下げ展示状態から図６に示す非吊下げ展示状態に変更する場合について説明する。この場合には、図９に示す吊下げ展示状態から上記組立作業とは逆の作業を行うことにより、図８に示す状態および図７に示す状態を順次経て図３に示す状態とし、次いで上記組立作業と同様の作業を行うことにより、図４に示す状態および図５に示す状態を順次経て図６に示す状態とすればよい。
【００３９】
以上、この発明の一実施形態について説明したが、この発明は、これに限定されるものではなく、特許請求の範囲に記載された発明とその均等の範囲を含むものである。
【００４０】
以下に、この出願の当初の特許請求の範囲に記載された発明について付記する。
（付記）
請求項１に記載の発明は、前板、後板、底板、左側板および右側板を少なくとも含むものからなり、上側に開口部を有する有底角筒状の箱本体と、前記前板の上辺に折り曲げ線を介して設けられ、第１の吊下げ孔を有する第１の吊下げ片と、前記第１の吊下げ片の先端辺に折り曲げ線を介して設けられ、第２の吊下げ孔を有する第２の吊下げ片と、前記第２の吊下げ片の先端辺に設けられた第１の突片と、前記後板の上辺に折り曲げ線を介して設けられた蓋板と、前記蓋板の先端部に該先端部に互いに平行に設けられた２つの切り込み線間における前記蓋板の一部を含んで設けられ、切り込み線および該切り込み線の左側および右側に２本ずつ設けられた第１、第２の折り曲げ線を有する第２の突片と、を備え、非吊下げ展示状態とするとき、前記第２の吊下げ片を折り曲げ、前記第１の吊下げ片を折り曲げながら、前記第１の突片を含む前記第２の吊下げ片を前記箱本体の開口部内に差し込み、前記第１の吊下げ片で前記箱本体の開口部を覆い、次いで前記第２の突片を前記第１の折り曲げ線で内側に折り曲げ、前記蓋板を折り曲げながら、折り曲げた前記第２の突片の元々の先端部を前記第１の吊下げ片の第１の吊下げ孔内に嵌め込み、前記蓋板で前記箱本体の開口部を最終的に覆い、この状態で非吊下げ展示状態とし、吊下げ展示状態とするとき、前記蓋板を折り曲げて、前記蓋板で前記箱本体の開口部を覆い、且つ、前記第２の突片を前記第２の折り曲げ線で外側に折り曲げて前記第１の吊下げ片に沿わせ、この状態で前記第２の突片の切り込み線によってスリットを形成し、次いで前記第２の吊下げ片を折り曲げながら、前記第１の突片を前記スリット内に差し込み、この状態で吊下げ展示状態とすることを特徴とする包装箱である。
【００４１】
請求項２に記載の発明は、請求項１に記載の発明において、前記第１の折り曲げ線で内側に折り曲げた前記第２の突片の元々の先端部を前記第１の吊下げ片の第１の吊下げ孔内に嵌め込んだ状態では、前記第２の突片の前記第１の折り曲げ線で内側に折り曲げられた部分は前記蓋板の先端辺よりも内側に位置していることを特徴とする包装箱である。
【００４２】
請求項３に記載の発明は、請求項１または２に記載の発明において、前記第１の突片は前記第２の吊下げ片の先端辺に３つ間隔をおいて設けられ、且つ、前記第２の吊下げ片の先端辺の左側部および右側部には前記第１の突片は設けられておらず、この先端辺の左側部および右側部は押え面となっており、前記蓋板の先端辺の左側部および右側部に第３の突片が設けられ、３つの前記第１の突片のうちの両外側の２つの第１の突片を前記第２の突片と２つの前記第３の突片との間を通して前記箱本体の開口部内に差し込み、且つ、残りの中央の１つの第１の突片を前記スリット内に差し込み、この状態では前記第２の吊下げ片の２つの押え面が前記蓋板の２つの第３の突片を押え付けていることを特徴とする包装箱である。
【００４３】
請求項４に記載の発明は、請求項１〜３のいずれかに記載の発明において、前記蓋板の左辺および右辺に折り曲げ線を介して係止片が設けられ、前記蓋板を折り曲げて、前記蓋板で前記箱本体の開口部を覆うとき、２つの前記係止片を折り曲げて前記箱本体の開口部内に差し込んで係止させることを特徴とする包装箱である。
【符号の説明】
【００４４】
１  前板
３  左側板
５  右側板
８  糊代
１２  第１の吊下げ片
１５  第２の吊下げ片
１３  第１の吊下げ孔
１６  第２の吊下げ孔
１７  突片
１８  押え面
２２  底板
４２  後板
４４  蓋板
４６  係止片
４７  突片
４９  突片
５０  切り込み線
５０ｃ  スリット
７１  箱本体
７２  開口部
【図１】
0006410084.tif 000002
【図２】
0006410084.tif 000003
【図３】
0006410084.tif 000004
【図４】
0006410084.tif 000005
【図５】
0006410084.tif 000006
【図６】
0006410084.tif 000007
【図７】
0006410084.tif 000008
【図８】
0006410084.tif 000009
【図９】
0006410084.tif 000010